(57)【要約】      （修正有）【課題】自動車用メディアホストシステムの用途を更に広くするインテリジェント自動車用メディアホストシステムを提供する。【解決手段】制御システム１１を有し、更に、ＦＭ／ＡＭラジオモジュール１３と、デジタルテレビチューナーモジュールと、ＤＶＤ／ＳＤ／ＵＳＢマルチメディア再生モジュールと、ドライビングレコーダーシステムと、逆転レーダー運転補助システムと、ＧＰＳ接収モジュールと、音声拡大システムと、を有するメディアホストシステム１を備える。さらに、オペレーティングシステム２１と、衛星ナビゲーションシステムと、システム操作用制御ソフトウェアと、無線インターネット通信システムと、表示システムと、タッチコントロールシステムと、マルチメディア娯楽／再生システムと、インターネットシステムと、が設けられるタブレットパーソナルコンピュータ２と、を含む。【選択図】図２
0003171510.tif 000002
【実用新案登録請求の範囲】
【請求項１】
自動車のダッシュボードの中央制御ボードに取付けられ、制御システムを有し、前記制御システムが自動車用電源変換システムと電気的に接続して電力を取り、更に、ＦＭ/ＡＭラジオモジュールと、デジタルテレビチューナーモジュールと、ＤＶＤ/ＳＤ/ＵＳＢマルチメディア再生モジュールと、ドライビングレコーダーシステムと、逆転レーダー運転補助システムと、ＧＰＳ接収モジュールと、音声拡大システムと、を有するメディアホストシステムと、
自動車のダッシュボードの中央制御ボードに脱着可能に取付けられ、その内部に、オペレーティングシステムと、衛星ナビゲーションシステムと、システム操作用制御ソフトウェアと、無線インターネット通信システムと、表示システムと、タッチコントロールシステムと、マルチメディア娯楽/再生システムと、インターネットシステムと、が設けられるタブレットパーソナルコンピュータと、
を含み、
前記タブレットパーソナルコンピュータは、前記メディアホストシステムの前記制御システムと接続し、前記制御システム及び前記システム操作用制御ソフトウェアにより、自動車のメディアシステムの再生、操縦及び前記表示システムの表示を制御できることを特徴とするインテリジェント自動車用メディアホストシステム。
【請求項２】
前記メディアホストシステムの前記音声拡大システムは、少なくとも、１つの音声ＤＳＰシステムと、１つの音声制御システムと、１つの音声パワー拡大システムと、１つのスピーカと、を含むことを特徴とする、請求項１に記載のインテリジェント自動車用メディアホストシステム。
【請求項３】
前記メディアホストシステムの正面には、更に、液晶ディスプレイを有し、前記液晶ディスプレイの下方にプラグが設けられ、前記タブレットパーソナルコンピュータの背面の前記プラグに対応する箇所では、挿入穴が設けられ、前記タブレットパーソナルコンピュータは前記液晶ディスプレイの前に脱着可能に取付けられることを特徴とする、請求項１に記載のインテリジェント自動車用メディアホストシステム。
【考案の詳細な説明】
【技術分野】
【０００１】
本考案は、自動車用のメディアホストシステムに関し、特に、メディアホストシステムにタブレットパーソナルコンピュータを接続可能なインテリジェント自動車用メディアホストシステムに関するものである。
【背景技術】
【０００２】
自動車に自動車用メディアホストシステムを組付けることが一般的であり、前記自動車用メディアホストシステムにより、マルチメディアを再生することができる。従来の自動車用メディアホストシステムは、ホストシステムの前にタッチスクリーンが巻起し可能に設けられる。前記タッチスクリーンにより、マルチメディアを再生でき、そして前記ホストシステムを操作できる。
【０００３】
しかしながら、従来の自動車用メディアホストシステムの前記タッチスクリーンは取り出して別の用途に利用できない問題があった。
【０００４】
一方、タブレットパーソナルコンピュータが流行っているため、自動車用メディアホストシステムにタブレットパーソナルコンピュータを組付けて利用できれば、自動車用メディアホストシステムの用途を更に広くすることができる。
【考案の概要】
【考案が解決しようとする課題】
【０００５】
本考案の主な目的は、自動車用メディアホストシステムにタブレットパーソナルコンピュータを組付けて利用することにより、自動車用メディアホストシステムの用途を更に広くするインテリジェント自動車用メディアホストシステムを提供することにある。
【課題を解決するための手段】
【０００６】
本考案のインテリジェント自動車用メディアホストシステムによると、自動車のダッシュボードの中央制御ボードに取付けられ、制御システムを有し、制御システムが自動車用電源変換システムと電気的に接続して電力を取り、更に、ＦＭ/ＡＭラジオモジュールと、デジタルテレビチューナーモジュールと、ＤＶＤ/ＳＤ/ＵＳＢマルチメディア再生モジュールと、ドライビングレコーダーシステムと、逆転レーダー運転補助システムと、ＧＰＳ接収モジュールと、音声拡大システムと、を有するメディアホストシステムと、
自動車のダッシュボードの中央制御ボードに脱着可能に取付けられ、その内部に、オペレーティングシステムと、衛星ナビゲーションシステムと、システム操作用制御ソフトウェアと、無線インターネット通信システムと、表示システムと、タッチコントロールシステムと、マルチメディア娯楽/再生システムと、インターネットシステムと、が設けられるタブレットパーソナルコンピュータと、
を含み、
タブレットパーソナルコンピュータは、メディアホストシステムの制御システムと接続し、制御システム及びシステム操作用制御ソフトウェアにより、自動車のメディアシステムの再生、操縦及び表示システムの表示を制御できることを特徴とする。
【０００７】
本考案のインテリジェント自動車用メディアホストシステムによると、メディアホストシステムの音声拡大システムは、少なくとも、１つの音声ＤＳＰシステムと、１つの音声制御システムと、１つの音声パワー拡大システムと、１つのスピーカと、を含むことを特徴とする。
【０００８】
本考案のインテリジェント自動車用メディアホストシステムによると、メディアホストシステムの正面には、更に、液晶ディスプレイを有し、液晶ディスプレイの下方にプラグが設けられ、タブレットパーソナルコンピュータの背面のプラグに対応する箇所では、挿入穴が設けられ、タブレットパーソナルコンピュータは液晶ディスプレイの前に脱着可能に取付けられることを特徴とする。
【考案の効果】
【０００９】
本考案のインテリジェント自動車用メディアホストシステムによれば、自動車用メディアホストシステムにタブレットパーソナルコンピュータを組付けて利用することにより、自動車用メディアホストシステムの用途を更に広くすることができる効果を有する。
【図面の簡単な説明】
【００１０】
【図１】本考案の実施例１の外観図である。
【図２】本考案のシステムのアーキテクチャを示す模式図である。
【図３】本考案の実施例１が自動車に取付けられた状態を示す模式図である。
【図４】本考案の実施例２の分解斜視図である。
【図５】本考案の実施例２の組合せ済み状態を示す模式図である。
【考案を実施するための最良の形態】
【００１１】
以下、本考案の実施の形態を図面に基づいて説明する。
（実施例１）
まず、図１及び図２を参照する。本考案の実施例１のインテリジェント自動車用メディアホストシステムは、メディアホストシステム１と、タブレットパーソナルコンピュータ２と、から構成される。
【００１２】
本考案のメディアホストシステム１は、図３に示すように、自動車のダッシュボードの中央制御ボードに取付けられ、制御システム１１を有する。制御システム１１は自動車用電源変換システム１２と電気的に接続して電力を取る。メディアホストシステム１は、更に、ＦＭ/ＡＭラジオモジュール１３と、デジタルテレビチューナーモジュール１４と、ＤＶＤ/ＳＤ/ＵＳＢマルチメディア再生モジュール１５と、ドライビングレコーダーシステム１６と、逆転レーダー運転補助システム１７と、ＧＰＳ接収モジュール１８と、音声拡大システム１９と、を有する。
【００１３】
メディアホストシステム１の音声拡大システム１９は、少なくとも、１つの音声ＤＳＰシステム１９１と、１つの音声制御システム１９２と、１つの音声パワー拡大システム１９３と、１つのスピーカ１９４と、を含む。本考案のメディアホストシステム１の音声拡大システム１９は従来の自動車用メディアホストシステムに類似する。
【００１４】
本考案のタブレットパーソナルコンピュータ２は、図３に示すように、自動車のダッシュボードの中央制御ボードに脱着可能に取付けられる。タブレットパーソナルコンピュータ２の内部に、オペレーティングシステム２１と、衛星ナビゲーションシステム２２と、システム操作用制御ソフトウェア２３と、無線インターネット通信システム２４と、表示システム２５と、タッチコントロールシステム２６と、マルチメディア娯楽/再生システム２７と、インターネットシステム２８と、が設けられる。
【００１５】
タブレットパーソナルコンピュータ２は、メディアホストシステム１の制御システム１１と接続し、制御システム１１及びシステム操作用制御ソフトウェア２３により、自動車のメディアシステムの再生、操縦及び表示システムの表示を制御できる。
【００１６】
メディアホストシステム１にタブレットパーソナルコンピュータ２を組付けた場合には、タブレットパーソナルコンピュータ２内の衛星ナビゲーションシステム２２が運転システムの操作の補助となる。タブレットパーソナルコンピュータ２に無線インターネット通信システム２４が設けられるため、スマートフォンのインターネットのＩＰを介してインターネットと接続することができる。また、メディアホストシステムのＣａｎＢｕｓ通信システムを介して自動車の制御コンピュータシステムと接続することができ、これにより、自動車の関連電子システムの状態を表示できる。更に、内蔵装置又はＵＳＢ装置により、３Ｇ/４Ｇ通信システムを介してインターネットと接続することができる。また、タブレットパーソナルコンピュータ２の内蔵のブルートゥース通信システムにより、ハンズフリー通話することができ、なお、内蔵のブルートゥース通信システムは、他のブルートゥース通信システムを有するＭＰ３又はＭＰ４プレーヤーと連結してメディアを再生でき、メディアホストシステム１により音声を再生して拡大することができる。
【００１７】
本考案のタブレットパーソナルコンピュータ２は、メディアホストシステム１から取り外したと、タブレットパーソナルコンピュータとして独立に利用できる。
【００１８】
（実施例２）
また、図４及び図５を参照する。本考案の実施例２のインテリジェント自動車用メディアホストシステムは、メディアホストシステム３の正面には、更に、液晶ディスプレイ３１が設けられる。液晶ディスプレイ３１の下方にプラグ３２が設けられる。タブレットパーソナルコンピュータ２の背面のプラグ３２に対応する箇所では、挿入穴２ａが設けられる。これにより、図５に示すように、タブレットパーソナルコンピュータは液晶ディスプレイ３１の前面に脱着自在に取付けることができる。
【符号の説明】
【００１９】
１：メディアホストシステム
２：タブレットパーソナルコンピュータ
２ａ：挿入穴
３：メディアホストシステム
１１：制御システム
１２：自動車用電源変換システム
１３：ＦＭ/ＡＭラジオモジュール
１４：デジタルテレビチューナーモジュール
１５：ＤＶＤ/ＳＤ/ＵＳＢマルチメディア再生モジュール
１６：ドライビングレコーダーシステム
１７：逆転レーダー運転補助システム
１８：ＧＰＳ接収モジュール
１９：音声拡大システム
２１：オペレーティングシステム
２２：衛星ナビゲーションシステム
２３：システム操作用制御ソフトウェア
２４：無線インターネット通信システム
２５：表示システム
２６：タッチコントロールシステム
２７：マルチメディア娯楽/再生システム
２８：インターネットシステム
３１：液晶ディスプレイ
３２：プラグ
１９１：音声ＤＳＰシステム
１９２：音声制御システム
１９３：音声パワー拡大システム
１９４：スピーカ
【産業上の利用可能性】
【００２０】
本考案は、自動車用メディアホストシステムに適用することができる。
【図１】
0003171510.tif 000003
【図２】
0003171510.tif 000004
【図３】
0003171510.tif 000005
【図４】
0003171510.tif 000006
【図５】
0003171510.tif 000007